(57)【要約】【課題】ワイヤーハーネス上の目的とする位置に直接装着可能な一対の分割構造を有しており、且つ、それら分割体の相互固定力を十分に確保しつつ、突起物のない滑らかな円筒外周面を実現し得る、新規な構造のワイヤーハーネス用外挿プロテクタを提供することを、目的とする。【解決手段】ワイヤーハーネス用外挿プロテクタ１０を構成する一対の分割体１２，１２のそれぞれにおいて、周方向一方の端部に延出部１６が形成されている一方、周方向他方の端部に凹溝部２２が形成されており、一対の分割体１２，１２が組み合わされて、それぞれの分割体１２の延出部１６が相手側の分割体１６の凹溝部２２に収容された状態で、各延出部１６と各凹溝部２２の底壁２４との径方向での重ね合わせ部分に設けられた凹凸係止構造１８，２６で相互に係止されるようにした。【選択図】図１
2010187454.tif 000002
【特許請求の範囲】
【請求項１】
一対の半円筒形状の分割体を組み合わせて構成される円筒形状のワイヤーハーネス用外挿プロテクタにおいて、
各前記分割体の周方向一方の端部には、その周方向端面における内周側と外周側の一方の端縁部から周方向外方に延び出す薄肉の延出部が形成されている一方、各前記分割体の周方向他方の端部には、その周方向端面における前記延出部と同じ内周側又は外周側の端縁部に開口して周方向内方に延びる凹溝部が形成されており、それら一対の分割体が組み合わされることにより、それぞれの分割体の該延出部が相手側の分割体の該凹溝部に収容されるようになっていると共に、各該延出部と各該凹溝部の底壁との径方向での重ね合わせ部分において、相互に係止される凹凸係止構造が設けられていることを特徴とするワイヤーハーネス用外挿プロテクタ。
【請求項２】
各前記分割体において、前記延出部が周方向端面における内周側の端縁部から周方向外方に延び出して形成されており、前記延出部に対して前記凹溝部の底壁が外周側から覆うように重ね合わされるようになっていると共に、前記分割体において前記凹溝部が形成された部分の外周面は、段差のない滑らかな表面形状とされている請求項１に記載のワイヤーハーネス用外挿プロテクタ。
【請求項３】
各前記分割体において、前記延出部と前記凹溝部の底壁との重ね合わせ面が、何れも、前記分割体の周方向端面から一対の前記分割体の組み合わせ方向に直線的に延びている請求項１又は２に記載のワイヤーハーネス用外挿プロテクタ。
【発明の詳細な説明】
【技術分野】
【０００１】
本発明は、自動車用のワイヤーハーネスを保護や位置決め等するために用いられるワイヤーハーネス用外挿プロテクタに関するものである。
【背景技術】
【０００２】
従来から、自動車用ワイヤーハーネスを保護するためのプロテクタが知られている。かかるプロテクタは、全体として円筒形状を有しており、ワイヤーハーネスに外挿装着されて、車両ボデー等の他部材に対する挿通部位や固定部位等において、ワイヤーハーネスを保護や位置決め等する目的で用いられる。
【０００３】
ところで、このプロテクタをワイヤーハーネスへ装着するに際して、ワイヤーハーネスの端部から外挿して目的位置まで移動させることは、非常に面倒である。特に、プロテクタを介してワイヤーハーネスを他部材に位置決めするためには、プロテクタをワイヤーハーネス外周面に対して締付状態で装着する必要があるが、プロテクタのワイヤーハーネスに対する締付力を大きくすると、プロテクタのワイヤーハーネス上での移動が一層困難となる。
【０００４】
このような問題に対処するために、特許文献１（実開昭６４−４５４２０号公報）には、一対の半円筒形状の分割体からなるプロテクタが提案されている。かかる分割構造のプロテクタでは、ワイヤーハーネスへの装着位置でワイヤーハーネスを挟んだ両側から一対の分解体を組み合わせて相互に連結することで、容易に装着することが出来る。
【０００５】
しかしながら、特許文献１に記載のプロテクタでは、各分割体を相互に連結固定するための係止突部と係止孔部が、各分割体の外周面上に突出形成されている。そのために、ワイヤーハーネスが挿通される挿通孔内にプロテクタを装着したり、バンド等の締付具をプロテクタの外周面に装着することが、極めて困難となり、プロテクタの装着可能な場所が制限されるという問題があった。
【０００６】
なお、一対の分割体を、相互の突き合わせ面で接着することも考えられるが、作業が極めて面倒で現実的でない。
【先行技術文献】
【特許文献】
【０００７】
【特許文献１】実開昭６４−４５４２０号公報
【発明の概要】
【発明が解決しようとする課題】
【０００８】
ここにおいて、本発明は、上述の如き事情を背景として為されたものであって、その解決課題とするところは、ワイヤーハーネス上の目的とする位置に直接装着可能な一対の分割構造を有しており、且つ、それら分割体の相互固定力を十分に確保しつつ、突起物のない滑らかな円筒外周面を実現し得る、新規な構造のワイヤーハーネス用外挿プロテクタを提供することにある。
【課題を解決するための手段】
【０００９】
以下、このような課題を解決するために為された本発明の態様を記載する。なお、以下に記載の各態様において採用される構成要素は、可能な限り任意の組み合わせで採用可能である。
【００１０】
本発明は、一対の半円筒形状の分割体を組み合わせて構成される円筒形状のワイヤーハーネス用外挿プロテクタにおいて、各分割体の周方向一方の端部には、その周方向端面における内周側と外周側の一方の端縁部から周方向外方に延び出す薄肉の延出部が形成されている一方、各分割体の周方向他方の端部には、その周方向端面における延出部と同じ内周側又は外周側の端縁部に開口して周方向内方に延びる凹溝部が形成されており、それら一対の分割体が組み合わされることにより、それぞれの分割体の延出部が相手側の分割体の凹溝部に収容されるようになっていると共に、各延出部と各凹溝部の底壁との径方向での重ね合わせ部分において、相互に係止される凹凸係止構造が設けられていることを、特徴とする。
【００１１】
このような本発明に従う構造とされたワイヤーハーネス用外挿プロテクタにおいては、各分割体において、周方向端面から延び出す延出部と凹溝部を設けて、かかる延出部が凹溝部に収容される構造とされていると共に、各延出部と各凹溝部の底壁との径方向での重ね合わせ部分に設けられた凹凸係止構造が相互に係止されることで、一対の分割体が相互に連結固定されるようになっている。これにより、一対の分割体の組付状態において、プロテクタの内周面と外周面の何れにも殆ど突出しない係止構造を実現し得たのである。
【００１２】
すなわち、ワイヤーハーネスを挟んで、径方向両側から一対の分割体が相互に連結固定された状態において、本発明のワイヤーハーネス用外挿プロテクタは、突起物のない滑らかな円筒外周面を実現することが出来る。これにより、プロテクタの装着場所における他部材との干渉や、取付時の方向性といった問題がないことから、ワイヤーハーネス上の任意の場所への取付けが一層容易になる。
【００１３】
また、本発明においては、各分割体において、延出部が周方向端面における内周側の端縁部から周方向外方に延び出して形成されており、延出部に対して凹溝部の底壁が外周側から覆うように重ね合わされるようになっていると共に、分割体において凹溝部が形成された部分の外周面は、段差のない滑らかな表面形状とされている態様が、好適に採用される。かかる態様においては、凹溝部の底壁によって延出部が外周側から覆われている。これにより、ワイヤーハーネス用外挿プロテクタの円筒外周面における段差の発生を、一層効果的に抑えることが出来る。
【００１４】
更にまた、本発明においては、各分割体において、延出部と凹溝部の底壁との重ね合わせ面が、何れも、分割体の周方向端面から一対の分割体の組み合わせ方向に直線的に延びている態様が、好適に採用される。かかる態様においては、分割体の成型用金型からの脱型が容易になる。
【図面の簡単な説明】
【００１５】
【図１】本発明の第一の実施形態としてのワイヤーハーネス用外挿プロテクタを示す横断面図であって、図２のＩ−Ｉ方向での横断面図。
【図２】同ワイヤーハーネス用外挿プロテクタの正面図。
【図３】同ワイヤーハーネス用外挿プロテクタを構成する分割体の横断面図であって、図４のＩＩＩ−ＩＩＩ方向での横断面図。
【図４】同分割体の正面図。
【図５】本発明の第二の実施形態としてのワイヤーハーネス用外挿プロテクタを示す横断面図。
【図６】同ワイヤーハーネス用外挿プロテクタを構成する分割体の横断面図。
【図７】本発明の第三の実施形態としてのワイヤーハーネス用外挿プロテクタを示す横断面図。
【図８】同ワイヤーハーネス用外挿プロテクタを構成する分割体の横断面図。
【図９】本発明の第四の実施形態としてのワイヤーハーネス用外挿プロテクタを示す横断面図。
【図１０】同ワイヤーハーネス用外挿プロテクタを構成する分割体の横断面図。
【発明を実施するための形態】
【００１６】
以下、本発明を更に具体的に明らかにするために、本発明の実施形態について、図面を参照しつつ、詳細に説明する。
【００１７】
図１及び図２には、本発明の第一の実施形態としてのワイヤーハーネス用外挿プロテクタ１０が示されている。かかるワイヤーハーネス用外挿プロテクタ１０は、一対の分割体１２，１２が組み合わせられた構造とされており、全体として円筒形状を呈している。
【００１８】
より詳細には、各分割体１２は、合成樹脂材料によって形成されており、図３及び図４にも示されているように、全体として半円筒形状を呈している。各分割体１２の周方向一方の端部には、周方向一端面１４における内周側の端縁部から周方向外方に延び出す延出部１６が形成されている。そこにおいて、延出部１６の厚さ寸法（ワイヤーハーネス用外挿プロテクタ１０の径方向での寸法）は、分割体１２の厚さ寸法（ワイヤーハーネス用外挿プロテクタ１０の径方向での寸法）よりも小さくされている。また、本実施形態では、延出部１６が分割体１２の長手方向の略中央部分に一つ形成されている。
【００１９】
さらに、本実施形態では、延出部１６の延出端（先端）に係止突起１８が設けられている。そこにおいて、本実施形態の係止突起１８は、延出部１６の延出端側から基端側へ行くに従って次第に突出高さが大きくなる三角形断面でもって延出部１６の幅方向（分割体１２の長手方向）に延びるように形成されている。特に本実施形態では、延出部１６の幅方向（分割体１２の長手方向）の全長に亘って、係止突起１８が形成されている。
【００２０】
一方、各分割体１２の周方向他方の端部には、周方向他端面２０における内周側の端縁部に開口して周方向内方に延びる凹溝部２２が形成されている。かかる凹溝部２２は、分割体１２の長手方向で、延出部１６と対応する位置に形成されている。そして、本実施形態では、凹溝部２２の底壁２４の周方向内方端において、底壁２４を厚さ方向に貫通する係止孔２６が形成されている。また、本実施形態では、凹溝部２２が形成された部分の外周面は滑らかな円弧状湾曲面とされている。
【００２１】
さらに、本実施形態では、各分割体１２の長手方向両端のそれぞれにおいて、厚さ方向（ワイヤーハーネス用外挿プロテクタ１０の径方向）の外側へ突出する外方突部２８が設けられている。更にまた、本実施形態では、各分割体１２の内周面において、複数の押圧突条３０が分割体１２の長手方向の中間部分に適当な間隔をあけて突設されている。
【００２２】
このような構造とされた一対の分割体１２，１２は、車輪速センサ等のセンサと制御装置を接続するワイヤーハーネス３２を挟んで周方向端面１４，２０同士を対向させた状態で、組み合わせられる。具体的には、各分割体１２に形成された延出部１６がワイヤーハーネス３２を挟んで対向位置する相手側の分割体１２に形成された凹溝部２２に収容されて、延出部１６と凹溝部２２の底壁２４がワイヤーハーネス用外挿プロテクタ１０の径方向で重ね合わされる。かかる状態下、延出部１６に形成された係止突起１８が延出部１６よりも外周側に位置する凹溝部２２の底壁２４に形成された係止孔２６に入り込んで、係止突起１８における延出部１６の基端側の端面が係止孔２６の内周面に当接することにより、係止突起１８が係止孔２６に係止されている。このことから明らかなように、本実施形態では、延出部１６に形成された係止突起１８と凹溝部２２の底壁２４に形成された係止孔２６によって、凹凸係止構造が構成されている。また、上述の如く、一対の分割体１２，１２が連結された状態で、ワイヤーハーネス用外挿プロテクタ１０の長手方向（軸方向）両端部分には、それぞれ、各分割体１２に設けられた外方突部２８が協働することで形成された、円環ブロック形状のフランジ部３４が設けられている。
【００２３】
このような構造とされたワイヤーハーネス用外挿プロテクタ１０においては、一対の分割体１２，１２のそれぞれに設けられた延出部１６が相手側の分割体１２に設けられた凹溝部２２に入り込んで、延出部１６に形成された係止突起１８が凹溝部２２の底壁２４に形成された係止孔２６に係止されることにより、一対の分割体１２，１２が相互に連結されて固定されている。これにより、ワイヤーハーネス３２上の目的とする位置に対して、直接装着することが出来る。
【００２４】
また、ワイヤーハーネス３２を挟んだ径方向両側のそれぞれにおいて、係止突起１８と係止孔２６による凹凸係止構造が位置している。これにより、十分な大きさの相互固定力を得ることが出来る。
【００２５】
特に本実施形態では、各延出部１６の内周面がワイヤーハーネス３２の外周面に当接しており、各延出部１６がワイヤーハーネス３２の弾性力によって凹溝部２２の底壁２４側へ押されている。これにより、係止突起１８の係止孔２６への係止状態を安定して維持することが可能となる。その結果、十分な大きさの相互固定力を安定して得ることが出来る。
【００２６】
さらに、一対の分割体１２，１２が相互に連結された状態で、各分割体１２の延出部１６の内周面が相手側の分割体１２の内周面と滑らかに接続されていると共に、各分割体１２において凹溝部２２が形成された部分の外周面が相手側の分割体１２の外周面と滑らかに接続されている。これにより、ワイヤーハーネス用外挿プロテクタ１０の内外周面のそれぞれを、全体として突起物のない滑らかな円筒形状にすることが出来る。その結果、ワイヤーハーネス用外挿プロテクタ１０が装着部位において他部材と干渉することなく、また、装着に際しての方向性もなくなることから、ワイヤーハーネス３２上の任意の場所への取付性が向上される。
【００２７】
特に本実施形態では、各分割体１２に設けられた延出部１６に対して相手側の分割体１２に設けられた凹溝部２２の底壁２４が外周側から覆うように重ね合わされていることから、延出部１６が凹溝部２２の底壁２４よりも外周側に位置する場合に比して、延出部１６の外周側への変形に起因する、ワイヤーハーネス用外挿プロテクタ１０の円筒外周面上での段差の発生を抑えることが出来る。その結果、ワイヤーハーネス用外挿プロテクタ１０の円筒外周面上における段差の発生を、一層効果的に抑えることが出来る。
【００２８】
また、本実施形態では、一対の分割体１２，１２がワイヤーハーネス３２を挟んで組み合わされた状態で、各分割体１２に設けられた押圧突条３０がワイヤーハーネス３２の外周面に押圧されている。これにより、ワイヤーハーネス用外挿プロテクタ１０のワイヤーハーネス３２上での安定した位置決めを実現することが出来る。
【００２９】
さらに、本実施形態では、ワイヤーハーネス用外挿プロテクタ１０の軸方向両端部分のそれぞれに対して、径方向外方へ突出するフランジ部３４が設けられている。これにより、フランジ部３４を他部材に係止させることで、ワイヤーハーネス用外挿プロテクタ１０を他部材に対して位置決めすることが出来る。加えて、ワイヤーハーネス用外挿プロテクタ１０自体の補強効果を得ることも出来る。
【００３０】
更にまた、本実施形態では、係止孔２６が凹溝部２２の底壁２４を貫通して形成されている。これにより、分割体１２の製造が容易になる。
【００３１】
続いて、本発明の第二の実施形態としてのワイヤーハーネス用外挿プロテクタ３６について、図５及び図６に基づいて、説明する。なお、以下に記載の第二の実施形態や後述する第三及び第四の実施形態において、第一の実施形態と同様な構造とされた部材及び部位については、図中に、第一の実施形態と同一の符号を付すことにより、それらの詳細な説明を省略する。
【００３２】
本実施形態のワイヤーハーネス用外挿プロテクタ３６は、第一の実施形態のワイヤーハーネス用外挿プロテクタ（１０）に比して、ワイヤーハーネス用外挿プロテクタ３６を構成する各分割体３８の構造が異なっている。具体的には、延出部１６における凹溝部２２の底壁２４との重ね合わせ面４０が、分割体３８の周方向一端面１４から一対の分割体３８，３８を組み合わせる方向（図５中、矢印で示す方向）に沿って直線的に延び出している。同様に、凹溝部２２の底壁２４における延出部１６との重ね合わせ面４２が、分割体３８の周方向他端面２０から延び出している。
【００３３】
このような構造とされたワイヤーハーネス用外挿プロテクタ３６においても、延出部１６が凹溝部２２に収容された状態で、一対の分割体３８，３８が相互に連結されることから、第一の実施形態と同様な効果を得ることが出来る。
【００３４】
そこにおいて、本実施形態では、各分割体３８における延出部１６と凹溝部２２の底壁２４との重ね合わせ面４０，４２が、何れも、分割体３８の周方向端面１４，２０から一対の分割体３８，３８の組み合わせ方向に直線的に延び出していることから、各分割体３８の成型用金型からの脱型を容易に行うことが出来る。
【００３５】
続いて、本発明の第三の実施形態としてのワイヤーハーネス用外挿プロテクタ４４について、図７及び図８に基づいて、説明する。本実施形態のワイヤーハーネス用外挿プロテクタ４４は、第一の実施形態のワイヤーハーネス用外挿プロテクタ（１０）に比して、各分割体４６の構造が異なっている。
【００３６】
より詳細には、各分割体４６の周方向一方の端部に設けられた延出部４８は、周方向一端面１４における外周側の端縁部から周方向外方へ延び出している。そこにおいて、本実施形態では、延出部４８の外周面は、円弧状湾曲面とされている一方、後述する凹溝部５２との重ね合わせ面を構成する内周面が、相手側の分割体４６との組み合わせ方向（図７中、矢印で示す方向）に直線的に延び出している。また、延出部４８の先端には、略一定の断面形状で延出部４８の幅方向（図８の紙面に垂直な方向）に延びる係止突起５０が形成されており、相手側分割体４６との組み合わせ方向に直交する方向に直線的に延びる係止面５１を構成している。
【００３７】
一方、各分割体４６の周方向他方の端部には、その周方向他端面２０における外周側の端縁部に開口して周方向内方へ延び出す凹溝部５２が形成されている。この凹溝部５２の底壁２４は、相手側の分割体４６との組み合わせ方向（図７中、矢印で示す方向）に直線的に延び出している。なお、本実施形態では、凹溝部５２の底壁２４に係止孔（２６）が形成されておらず、延出部４８に設けられた係止突起５０の係止面５１が、凹溝部５２において、相手側分割体４６との組み合わせ方向に直交する方向に直線的に延びる係止面５３に対して直接当接、係止されるようになっている。即ち、本実施形態では、延出部４８に設けられた係止突起５０の係止面５１と凹溝部５２の係止面５３によって、凹凸係止構造が構成されている。
【００３８】
このような構造とされたワイヤーハーネス用外挿プロテクタ４４においても、凹溝部５２に延出部４８が収容された状態で、係止突起５０の係止面５１が凹溝部５２の係止面５３に係止されることにより、一対の分割体４６，４６が相互に連結されることから、第一の実施形態と同様な効果を得ることが出来る。
【００３９】
続いて、本発明の第四の実施形態としてのワイヤーハーネス用外挿プロテクタ５６について、図９及び図１０に基づいて、説明する。本実施形態のワイヤーハーネス用外挿プロテクタ５６は、第一の実施形態のワイヤーハーネス用外挿プロテクタ（１０）に比して、各分割体５８の構造が異なっている。
【００４０】
より詳細には、本実施形態では、延出部１６に係止孔６０が形成されている一方、凹溝部２２の底面に係止突起６２が突設されている。また、本実施形態では、凹溝部２２の底壁２４と延出部１６との重ね合わせ面６４，６６が、何れも、分割体５８の周方向端部から一対の分割体５８，５８の組み合わせ方向に広がって延び出している。
【００４１】
このような構造とされたワイヤーハーネス用外挿プロテクタ５６においても、延出部１６が凹溝部２２に収容された状態で、一対の分割体５８，５８が相互に連結されることから、第一の実施形態と同様な効果を得ることが出来る。
【００４２】
以上、本発明の幾つかの実施形態について詳述してきたが、例えば、前記第一，第二及び第四の実施形態において、係止孔２６，６０は、延出部１６や凹溝部２２の底壁２４に貫通形成されている必要はなく、凹所であっても良い。また、係止突起１８は、半球形状や矩形ブロック形状等であっても良い。更に、延出部や凹溝部の大きさや形状等は、前記第一乃至第四の実施形態のものに限定されることはない。
【００４３】
さらに、本発明において、凹凸係止構造は、ワイヤーハーネス用外挿プロテクタの長手方向に適当な間隔をあけて複数設けられていても良い。そこにおいて、二対以上の延出部と凹溝部がある場合には、分割体の周方向一方の端部側において、一つの対を為す延出部と、他の対を為す凹溝部とが、分割体の長手方向に並設されていても良い。
【００４４】
更にまた、前記第一，第二及び第四の実施形態において、凹凸係止構造は、フランジ部３４が設けられた位置にあっても良い。
【００４５】
また、本発明では、対を為す延出部と凹溝部において、係止突起と係止孔による凹凸係止構造は一つだけに限定されるものではない。複数設けることも、勿論可能である。
【００４６】
更にまた、本発明において、凹凸係止構造は、凹溝部の側壁に形成された係止孔に対して、延出部の幅方向外方に突出形成された係止突起を係止させる構造であっても良い。
【符号の説明】
【００４７】
１０：ワイヤーハーネス用外挿プロテクタ，１２：分割体，１４：周方向一端面，１６：延出部，１８：係止突起，２０：周方向他端面，２２：凹溝部，２４：底壁，２６：係止孔，３６：ワイヤーハーネス用外挿プロテクタ，３８：分割体，４０：重ね合わせ面，４２：重ね合わせ面，４４：ワイヤーハーネス用外挿プロテクタ，４６：分割体，４８：延出部，５０：係止突起，５２：凹溝部，５６：ワイヤーハーネス用外挿プロテクタ，５８：分割体，６０：係止孔，６２：係止突起
【図１】
2010187454.tif 000003
【図２】
2010187454.tif 000004
【図３】
2010187454.tif 000005
【図４】
2010187454.tif 000006
【図５】
2010187454.tif 000007
【図６】
2010187454.tif 000008
【図７】
2010187454.tif 000009
【図８】
2010187454.tif 000010
【図９】
2010187454.tif 000011
【図１０】
2010187454.tif 000012